(57)【要約】【課題】実際の運転状態を的確に反映した泡消火設備の一体的な点検を環境汚染することなく行える点検装置及び点検方法を提供する。【解決手段】本発明に係る泡消火設備の点検装置は、泡消火薬剤を貯蔵した泡原液タンク１５と、給水本管１を流れる流水量に対して前記泡原液タンク１５内の泡消火薬剤を所定割合で混合する混合器５とを備えてなる泡消火設備を点検する泡消火設備の点検装置であって、点検時に前記泡原液タンク１５をバイパスして設置可能でかつ試験液を貯留する仮設の試験液タンク２１と、前記混合器５の二次側に接続する試験用配管および試験用泡放出ヘッド又はノズルと、前記試験用配管または前記試験用泡ヘッドに設けられて前記混合器５の二次側の圧力を調整する圧力調整手段と、前記泡消火設備を運転して前記試験用泡放出ヘッド又はノズルから放出される前記試験液と水との混合水溶液の濃度を測定する濃度測定手段とを備えている。【選択図】  図１
2011206234.tif 000002
【特許請求の範囲】
【請求項１】
泡消火薬剤を貯蔵した泡原液タンクと、給水本管を流れる流水量に対して前記泡原液タンク内の泡消火薬剤を所定割合で混合する混合器とを備えてなる泡消火設備を点検する泡消火設備の点検装置であって、
点検時に前記泡原液タンクをバイパスして設置可能でかつ試験液を貯留する仮設の試験液タンクと、前記混合器の二次側に接続する試験用配管および試験用泡放出ヘッド又はノズルと、前記混合器の二次側の圧力を調整する圧力調整手段と、前記泡消火設備を運転して前記試験用泡放出ヘッド又はノズルから放出される前記試験液と水との混合水溶液の濃度を測定する濃度測定手段とを備えたことを特徴とする泡消火設備の点検装置。
【請求項２】
前記試験液タンクは、前記給水本管に接続されて充水される一次側と、前記混合器側に接続されると共に試験液で満たされる二次側と、該二次側と前記一次側とを分離するように配置され、前記一次側に消火用水が充水されることによって前記二次側を加圧する隔膜を備えてなることを特徴とする請求項１記載の泡消火設備の点検装置。
【請求項３】
前記試験液が電解液であり、前記濃度測定手段が導電率計であることを特徴とする請求項１又は２に記載の泡消火設備の点検装置。
【請求項４】
前記試験液がコロイド溶液であり、前記濃度測定手段がチンダル現象による光散乱の光量を測定する光散乱式濃度測定手段であることを特徴とする請求項１又は２に記載の泡消火設備の点検装置。
【請求項５】
泡消火薬剤を貯蔵した泡原液タンクと、給水本管を流れる流水量に対して前記泡原液タンク内の泡消火薬剤を所定割合で混合する混合器とを備えてなる泡消火設備を点検する方法であって、
前記泡原液タンクをバイパスする経路に仮設の試験液タンクを設置して、前記混合器の二次側の圧力状態が本設備における圧力状態と同じ状態になるようにして前記泡消火設備を運転し、
前記試験用タンクから送出された試験液が前記混合器で希釈され、該混合器の二次側から放出される混合水溶液の濃度を濃度測定手段で測定することを特徴とする泡消火設備の点検方法。
【請求項６】
前記濃度測定手段による混合水溶液の濃度測定終了後、前記泡消火設備の運転を停止した上で、前記仮設の試験液タンクを取り外し、前記試験液タンクを取り外した後の前記バイパス経路を仮設の配管又はホースで連結し、泡原液タンクを閉止したまま再び前記泡消火設備を運転することによって、前記点検方法の実施時において試験液に暴露した部分を加圧水で洗浄することを特徴とする請求項５記載の泡消火設備の点検方法。
【請求項７】
前記試験液が電解液であり、前記濃度測定手段が導電率計であることを特徴とする請求項５又は６に記載の泡消火設備の点検方法。
【請求項８】
前記試験液がコロイド溶液であり、前記濃度測定手段がチンダル現象による光散乱の光量を測定する光散乱式濃度測定手段であることを特徴とする請求項５又は６に記載の泡消火設備の点検方法。
【発明の詳細な説明】
【技術分野】
【０００１】
本発明は、泡消火設備の点検装置および点検方法に関する。
【背景技術】
【０００２】
図３は一般的な泡消火設備の主な構成機器の説明図である。
泡消火設備は、給水本管１と、給水本管１に消火用水を送水する加圧送水装置３と、給水本管１に設置された混合器５（ベンチュリー型、デマンド型、オリフィス型）と、混合器５の二次側の泡水溶液送液管２の先端部に設けられた図示しない発泡装置とを備えている。なお、発泡装置は供給される泡水溶液に空気を混合し、所定の発泡倍率で消火用泡を生成するものであり、石油タンク等に設けるエアフォームチャンバ、泡ノズル、固定式泡ヘッド等がある。また、給水本管１における混合器５の一次側には混合器元弁９が設置され、混合器元弁９と混合器５との間の給水本管１から分岐して加圧水導入管１１が設けられ、加圧水導入管１１には泡原液タンク加圧元弁１３が設けられると共に加圧水導入管１１の先端に本設備用の泡原液タンク１５が接続されている。泡原液タンク１５には、消火薬剤泡原液が貯蔵されており、その排出口側には泡原液吐出管１７が接続され、泡原液吐出元弁１８及び泡原液吐出逆止弁１９を介して混合器５に接続されている。
【０００３】
上記のように構成された泡消火設備は、火災が発生すると、加圧送水装置３が起動して消火用水が給水本管１に送水される。給水本管１に送水された消火用水は、混合器５に送られると共に加圧水導入管１１にも送られて泡原液タンク１５を加圧して泡原液を泡原液吐出管１７に押し出す。混合器５では、給水本管１から送られた消火用水に泡原液吐出管１７から送られた泡原液が所定の割合で混合されて泡水溶液送液管２に送出され、図示しない発泡装置から消火用泡となって放出される。
【０００４】
泡消火設備は、長期間に亘って設備の性能を最良の状態に維持する必要からその点検が義務付けられている。具体的には、危険物の規制に関する規則第６２条の５の５において、第三種の固定式の泡消火設備を設ける屋外タンク貯蔵所に係わる点検は、告示で定めるところにより、当該泡消火設備の泡の適正な放出を確認する一体的な点検を行わなければならないとされている。
【０００５】
従来、上記の点検を実施するにあたり、実際の泡消火薬剤を用いて行っていた。しかしながら、点検によって発生する泡消火薬剤と消火用水の混合液からなる泡水溶液（３〜６％程度）は排水基準を超えるので、環境汚染を防ぐため、下水へ流すことができず、産業廃棄物として処理していたが、これによる点検コストの高さが課題となっていた。
そこで、上記課題を解決するものとして、泡消火設備の泡原液タンク１５をバイパスして、着色した水溶液を入れた点検用仮設タンクを設け、この着色水溶液を泡消火薬剤の代わりに混合器５によって消火用水に混合して希釈着色水溶液とし、この希釈着色水溶液を混合器５の下流側に設けた抜取管から抜き出し、抜き出された希釈着色水溶液に試験光を透過させてその透過率を測定することによって、混合比を測定しようとする点検装置と点検方法が提案されている（特許文献１参照）。
この点検装置と点検方法によれば、点検時の排水基準をクリアできるので、産業廃棄物の処理を不要とすることができ、点検コストを大幅に削減できるとしている。
【先行技術文献】
【特許文献】
【０００６】
【特許文献１】特開２００８−３０１９４２号公報
【発明の概要】
【発明が解決しようとする課題】
【０００７】
特許文献１に記載された点検装置においては、混合器直近の下流側に抜き取り管を設け、ここから希釈着色水溶液を採取して測定するようにしている。つまり、特許文献１の点検装置は、少なくとも、実際の配管とエアフォームチャンバ等の発泡装置、あるいはこれらと同等の装置を用いないで点検する装置構成になっており、混合器周辺の圧力分布が実際の動作時とは異なっている可能性があり、実際の運転状態を反映させた、装置の一体的な点検ができるかどうかは疑問である。
【０００８】
また、特許文献１においては、混合器による着色水溶液の混合割合を希釈着色水溶液に試験光を照射して試験光の透過率によって測定するとしているが、透過率によって精度よく測定するには試験光が着色水溶液によって十分に減光することが必要となる。
試験光が着色水溶液によって十分に減光するためには、透過率測定装置の光路長を非常に長くするか、あるいは着色水溶液を高い濃度で用いることが考えられ、これらの条件が満たされない場合は測定精度が著しく劣るものとなる。
しかしながら、透過率測定装置の光路長を長くするためには、泡消火設備が設置された現場に、数十ｍもの試験用光路を有する透過率測定装置を持ち込み、その光路長を満たす大量の希釈水溶液を用意しなければならないが、このようなことは実際には困難である。
他方、高濃度の着色水溶液を用いる場合には、希釈後の着色水溶液が産業用廃棄物にはならないとしても、濃厚な着色水溶液を排出することに、環境汚染を防止しているとの理解を得ることは難しい。
【０００９】
以上のように特許文献１の点検装置及び方法では、混合器での混合割合が、実際に泡消火設備を稼動させてエアフォームチャンバ等の発泡装置から泡水溶液を放出した状態を的確に反映されたものかどうかが疑問であり、また混合器で希釈された希釈着色水溶液の混合割合を正確に測定できない点でも問題がある。
【００１０】
本発明はかかる課題を解決するためになされたものであり、泡消火設備を実際に稼動させた状態を的確に反映した泡消火設備の一体的な点検を環境汚染することなく行える点検装置及び点検方法を提供することを目的としている。
また、混合器で希釈された試験液の混合割合を正確に測定できる泡消火設備の点検装置及び方法を提供することを目的としている。
【課題を解決するための手段】
【００１１】
（１）本発明に係る泡消火設備の点検装置は、泡消火薬剤を貯蔵した泡原液タンクと、給水本管を流れる流水量に対して前記泡原液タンク内の泡消火薬剤を所定割合で混合する混合器とを備えてなる泡消火設備を点検する泡消火設備の点検装置であって、
点検時に前記泡原液タンクをバイパスして設置可能でかつ試験液を貯留する仮設の試験液タンクと、前記混合器の二次側に接続する試験用配管および試験用放出ヘッド又はノズルと、前記混合器の二次側の圧力を調整する圧力調整手段と、前記泡消火設備を運転して前記試験用放出ヘッド又はノズルから放出される前記試験液と水との混合水溶液の濃度を測定する濃度測定手段とを備えたことを特徴とするものである。
【００１２】
（２）また、上記（１）に記載のものにおいて、前記試験液タンクは、前記給水本管に接続されて充水される一次側と、前記混合器側に接続されると共に試験液で満たされる二次側と、該二次側と前記一次側とを分離するように配置され、前記一次側に消火用水が充水されることによって前記二次側を加圧する隔膜を備えてなることを特徴とするものである。
本発明（２）によれば、試験液タンクの一次側に試験液が流れ込むことが無いので、泡消火設備の泡原液タンクや混合器の一次側を試験液で汚染することがない。
【００１３】
（３）また、上記（１）又は（２）に記載のものにおいて、前記試験液が電解液であり、前記濃度測定手段が導電率計であることを特徴とするものである。
本発明（３）によれば、食品添加物にも用いられ、土壌や下水に排出しても無害な、酢酸カリウム、クエン酸カリウム等の電解質を用いることができるので、産業廃棄物を放出することなく点検できる。
また、濃度測定手段に導電率計を用いるので、濃度を正確に測定することができる上、低い濃度であっても測定可能なので、試験液に用いて点検で排出する電解質を少量で済ますことができる。
なお、本発明（３）の効果は、後述の本発明（７）においても同様に得ることができる。
【００１４】
（４）また、上記（１）又は（２）に記載のものにおいて、前記試験液がコロイド溶液であり、前記濃度測定手段がチンダル現象による光散乱の光量を測定する光散乱式濃度測定手段であることを特徴とするものである。
本発明（４）によれば、土壌や下水に排出しても無害な、ゼラチン、石鹸水、墨汁、等のコロイド溶液を用いることができるので、産業廃棄物を放出することなく点検できる。
また、チンダル現象による散乱光の光量を測定する濃度測定手段を用いるので、濃度を正確に測定することができる上、低い濃度であっても測定可能なので、試験液に用いて点検で排出するコロイド物質を少量で済ますことができる。
なお、本発明（４）の効果は、後述の本発明（８）においても同様に得ることができる。
【００１５】
（５）本発明に係る泡消火設備の点検方法は、泡消火薬剤を貯蔵した泡原液タンクと、給水本管を流れる流水量に対して前記泡原液タンク内の泡消火薬剤を所定割合で混合する混合器とを備えてなる泡消火設備を点検する方法であって、
前記泡原液タンクをバイパスする経路に仮設の試験液タンクを設置して、前記混合器の二次側の圧力状態が本設備における圧力状態と同じ状態になるようにして前記泡消火設備を運転し、
前記試験用タンクから送出された試験液が前記混合器で希釈され、該混合器の二次側から放出される混合水溶液の濃度を濃度測定手段で測定することを特徴とするものである。
【００１６】
（６）また、上記（５）に記載のものにおいて、前記濃度測定手段による混合水溶液の濃度測定終了後、前記泡消火設備の運転を停止した上で、前記仮設の試験液タンクを取り外し、前記試験液タンクを取り外した後の前記バイパス経路を仮設の配管又はホースで連結し、泡原液タンクを閉止したまま再び前記泡消火設備を運転することによって、前記点検方法の実施時において試験液に暴露した部分を加圧水で洗浄することを特徴とするものである。
本発明（６）によれば、点検終了後、仮設の配管又はホースを取り付けて泡消火設備を運転することによって、点検時に試験液に暴露した部分を加圧水で洗浄することができるので、点検後の復旧が容易であり、また、試験液による腐食等で設備を損なうことがない。
【００１７】
（７）また、上記（５）又は（６）に記載のものにおいて、前記試験液が電解液であり、前記濃度測定手段が導電率計であることを特徴とするものである。
【００１８】
（８）また、上記（５）又は（６）に記載のものにおいて、前記試験液がコロイド溶液であり、前記濃度測定手段がチンダル現象による光散乱の光量を測定する光散乱式濃度測定手段であることを特徴とするものである。
【発明の効果】
【００１９】
本発明に係る泡消火設備の点検装置によれば、点検時に前記泡原液タンクをバイパスして設置可能でかつ試験液を貯留する仮設の試験液タンクと、前記混合器の二次側に接続する試験用配管および試験用放出ヘッド又はノズルと、前記混合器の二次側の圧力を調整する圧力調整手段と、前記泡消火設備を運転して前記試験用放出ヘッド又はノズルから放出される前記試験液と水との混合水溶液の濃度を測定する濃度測定手段とを備えたので、圧力調整手段によって混合器の二次側の圧力を実際に泡消火設備を稼動させたのと同等の圧力状態に調整することができ、実際の運転状況に近い一次圧及び二次圧で混合器が動作し、混合器の混合比を実際の運転状況に近い状態で測定することができる。
また、本発明に係る泡消火設備の点検方法によれば、混合器の二次側の圧力状態が本設備における圧力状態と同じ状態になるようにして泡消火設備を運転し、前記混合器の二次側から放出される混合水溶液の濃度を濃度測定手段で測定するようにしているので、実際の運転状況に近い一次圧及び二次圧で混合器が動作し、混合器の混合比を実際の運転状況に近い状態で測定することができる。
【図面の簡単な説明】
【００２０】
【図１】本発明の一実施の形態に係る泡消火設備の点検装置及び点検方法の説明図である。
【図２】本発明の一実施の形態に係る泡消火設備の点検装置及び点検方法の説明図である。
【図３】一般的な泡消火設備の主な構成機器の説明図である。
【発明を実施するための形態】
【００２１】
本発明の一実施の形態に係る泡消火設備の点検装置を図１に基づいて説明する。
点検の対象となる泡消火設備は、図３に示したものと同様であり、図３に示した構成機器と同一部分には同一の符号を付してある。
本実施の形態に係る泡消火設備の点検装置は、点検時に泡原液タンク１５をバイパスして設置可能でかつ試験液を貯留する仮設の試験液タンク２１と、混合器５の二次側の圧力を調整する圧力調整手段としての圧力調整弁２３と、圧力調整弁２３の二次側に接続された試験用ホース２５と、試験用ホース２５の先端に設けられた試験用放出ノズル２７と、試験用ホース２５に設けられて泡消火設備を運転して前記試験用放出ノズル２７から放出される試験液と水との混合水溶液の濃度を測定する濃度測定手段（図示なし）とを備えている。
以下、各構成をより詳細に説明する。
【００２２】
＜試験液タンク＞
試験液タンク２１は、点検時に泡原液タンク１５をバイパスして設置可能でかつ試験液を貯留する仮設のタンクである。
試験液タンク２１は、給水本管１に送水された消火用水が充水される試験液タンク一次側２９と、混合器５側に接続されると共に試験液で満たされる試験液タンク二次側３１と、試験液タンク二次側３１と試験液タンク一次側２９とを分離するように配置され、試験液タンク一次側２９に消火用水が充水されることによって試験液タンク二次側３１を加圧する隔膜３３を備えて構成されている。
このような試験液タンク２１の具体的な構成の一例を示すと、金属製のタンク内に可撓性のバック（隔膜３３に相当する）を配置して、バック内に試験液を貯留してバックの出口を混合器５側に接続する。試験液タンク一次側２９に加圧水を充水することで、バックに貯留されている試験液が混合器５側に押し出される。
試験液タンク一次側２９には、加圧水導入側仕切弁３５が設けられ、加圧水導入側仕切弁３５の一次側には加圧水導入ホース３７の出側を接続するための加圧水導入ホース出側接続部３９が設けられている。加圧水導入ホース３７の他端は、加圧水導入管１１から分岐した分岐部に設置された加圧水仕切弁４１の二次側に設けられた加圧水導入ホース入側接続部４３に接続されている。
【００２３】
また、試験液タンク二次側３１には、試験液タンク側仕切弁４５が設けられ、試験液タンク側仕切弁４５の二次側には試験液送出ホース４７の一端を接続するための試験液送出ホース入側接続部４９が設けられている。試験液送出ホース４７の他端は、泡原液吐出管１７から分岐した分岐部に設置された試験液出側仕切弁５１の一次側に設けられた試験液送出ホース出側接続部５３に接続されている。
【００２４】
試験液タンク２１に貯留される試験液としては、酢酸カリウム、クエン酸カリウム等の電解液を用いることができる。電解液は、土壌や下水に排出しても無害であり、産業廃棄物を放出することなく点検できる。
また、試験液の他の例としては、ゼラチン、石鹸水、墨汁、等のコロイド溶液を用いることができる。コロイド溶液は、土壌や下水に排出しても無害であり、ゼラチン、石鹸水、墨汁、等のコロイド溶液を用いることができるので、産業廃棄物を放出することなく点検できる。
【００２５】
＜圧力調整弁＞
圧力調整弁２３は、混合器５の二次側の泡水溶液送液管２の分岐部に設けられている。試験時においては、泡水溶液送液管２に設けられた試験用仕切弁５５を閉止し、圧力調整弁２３によって混合器５の二次側の圧力を本設備が稼動した泡放出時と同じになるように調整する。試験時において、圧力調整は、混合器５の二次側に設置された圧力計５７の表示を見ながら調整する。
なお、圧力調整弁２３は、平常時においては、閉止することで仕切弁として機能する。
圧力調整弁２３の二次側には、試験用ホース２５を接続するための試験用ホース接続部５９が設けられている。
【００２６】
＜試験用ホース＞
試験用ホース２５は、圧力調整弁２３の二次側に設けられた試験用ホース接続部５９に接続されて試験用の混合水を取り出すためのものである。
【００２７】
＜試験用放出ノズル＞
試験用放出ノズル２７は、試験用ホース２５の先端に設けられて、本設備のエアフォームチャンバ等の発泡装置が開放したときと同様の圧力と流量で混合器で希釈された試験液を放出する。
なお、試験用放出ノズル２７に代えて、試験用放出ヘッドを設けてもよい。
【００２８】
＜濃度測定手段＞
濃度測定手段は、試験用放出ノズル２７から放出された消火用水に試験液が混合された混合液の濃度を測定するものである。試験液が電解液の場合には、濃度測定手段として導電率計を用いる。導電計を用いることで、希釈された試験液の濃度を正確に測定することができる上、低い濃度であっても測定可能なので、試験液に用いて点検で排出する電解質を少量で済ますことができる。
また、試験液がコロイド溶液の場合には、濃度測定手段としてチンダル現象による光散乱の光量を測定する光散乱式濃度測定器を用いる。光散乱式濃度測定器を用いることで、希釈された試験液の濃度を正確に測定することができる上、低い濃度であっても測定可能なので、試験液に用いて点検で排出するコロイド物質を少量で済ますことができる。
【００２９】
上記のように構成された本実施の形態の泡消火設備の点検装置を用いた点検方法を説明する。
泡原液タンク１５をバイパスして仮設の試験液タンク２１を設置する。試験液タンク２１の設置は具体的には以下のようにする。
加圧水導入ホース入側接続部４３に加圧水導入ホース３７の一端を接続し、加圧水導入ホース３７の他端を、試験液タンク一次側２９に接続された加圧水導入ホース出側接続部３９に接続する。また、試験液送出ホース入側接続部４９に試験液送出ホース４７の一端を接続し、試験液送出ホース４７の他端を試験液送出ホース出側接続部５３に接続する。
また、試験用ホース接続部５９に試験用ホース２５を接続する。
【００３０】
上記のように、加圧水導入ホース３７、試験液送出ホース４７及び試験用ホース２５の接続が完了すると、泡原液吐出元弁１８及び試験用仕切弁５５を閉止する。他方、加圧水仕切弁４１、加圧水導入側仕切弁３５、試験液タンク側仕切弁４５、試験液出側仕切弁５１を開放する。
泡消火設備の運転を開始すると、加圧送水装置３によって消火用水が給水本管１に送水され、混合器５に送られると共に加圧水導入管１１にも送られる。加圧水導入管１１に送られた消火用水は、試験液タンク一次側２９に充水され、試験液タンク二次側３１の試験液を混合器５側に押し出す。混合器５では、給水本管１から送られた消火用水に試験液タンク２１から送られた試験液が所定の割合で混合されて試験用放出ノズル２７から放出される。
混合器５の二次側の圧力が実際の泡放出時の圧力と同じになるように圧力計５７の表示を見ながら圧力調整弁２３の開度を調整する。圧力調整弁２３の調整が完了した後、試験用放出ノズル２７から放出される混合液を採取して、濃度測定手段によって濃度を測定する。
混合水の濃度と混合割合の関係を予め求めておき、測定した濃度から混合器５での混合割合を求め、その割合が適切かどうかを判定する。
【００３１】
以上のように本実施の形態の泡消火設備の点検設備によれば、混合器５の二次側の圧力を調整する圧力調整弁２３を設けたことにより、混合器５の二次側の圧力を実際に泡消火設備を稼動させたのと同等の圧力に調整することができ、実際の運転状況に近い一次圧及び二次圧で混合器５が動作し、混合器５の混合比を実際の運転状況に近い状態で測定することができる。
【００３２】
なお、上記の実施の形態では、混合器５の二次側の圧力を、実際に泡消火設備を稼動させたのと同等の圧力に調整する方法として、圧力調整弁２３を用いたが、圧力調整弁２３を用いる以外の方法として、実設備におけるエアフォームチャンバ等の発泡装置が設置されている直ぐ手前に分岐管を設け、該分岐管に試験用ホース及び試験用放出ヘッド又はノズルを設けるようにすればよい。このようにすれば、圧力調整をしなくても、実際に泡消火設備を稼動させたのと同等の圧力分布状態にすることができる。
【００３３】
＜混合割合判定後の動作＞
上記混合割合判定が終了後、泡消火設備の運転を停止する。加圧水導入ホース３７の一端側を加圧水導入ホース入側接続部４３から取外し、図２に示すように、試験液送出ホース入側接続部４９から外した試験液送出ホース４７の一端側を加圧水導入ホース入側接続部４３に接続する。その後、泡原液タンク１５を閉止したまま、再び泡消火設備を運転することによって、点検方法の実施時において試験液に暴露した部分を加圧水で洗浄する。
このように、点検時に試験液に暴露した部分を加圧水で洗浄することで、点検後の復旧が容易であり、また、試験液による腐食等で設備を損なうことがない。
【００３４】
なお、上記の例では、試験液送出ホース４７の一端側を加圧水導入ホース入側接続部４３に直接接続したが、試験液送出ホース４７の一端側に別の配管又はホースを接続してこれを加圧水導入ホース入側接続部４３に接続するようにしてもよい。
【符号の説明】
【００３５】
１  給水本管                                  ２  泡水溶液送液管
３  送水ポンプ
５  混合器（ベンチュリー型、デマンド型、オリフィス型）
９  混合器元弁                              １１  加圧水導入管
１３  泡原液タンク加圧元弁                  １５  泡原液タンク
１７  泡原液吐出管                          １８  泡原液吐出元弁
１９  泡原液吐出逆止弁                      ２１  試験液タンク
２３  圧力調整弁                            ２５  試験用ホース
２７  試験用放出ノズル                      ２９  試験液タンク一次側
３１  試験液タンク二次側                    ３３  隔膜
３５  加圧水導入側仕切弁                    ３７  加圧水導入ホース
３９  加圧水導入ホース出側接続部            ４１  加圧水仕切弁
４３  加圧水導入ホース入側接続部            ４５  試験液タンク側仕切弁
４７  試験液送出ホース                      ４９  試験液送出ホース入側接続部
５１  試験液出側仕切弁                      ５３  試験液送出ホース出側接続部
５５  試験用仕切弁                          ５７  圧力計
５９  試験用ホース接続部
【図１】
2011206234.tif 000003
【図２】
2011206234.tif 000004
【図３】
2011206234.tif 000005